(57)【要約】【課題】単純にモノクロ画像を得るための通常の読み取り動作と比較して、読み取り速度をあまり低下させることなく読み取った原稿画像からドロップアウトカラー画像を正確に除去する。【解決手段】原稿Ｐの画像の読み取り動作に際しては、原稿画像と光源部とが副走査方向（矢印Ｓ方向）に主走査方向の１ライン分に相当する距離を相対移動する毎に、光源部から発光する光の色を、ドロップアウトカラーに基づいて指定された発光色で指定された発光順序にしたがって切り替える。そして、各発光色で露光された原稿からの反射光を受光素子で受光することによる画像光に基づいて、指定されたドロップアウトカラーによって形成された画像を除去したモノクロ画像Ｐ’を生成する。【選択図】　　図５
2004120337.tif 000002
【特許請求の範囲】
【請求項１】
原稿画像に対して複数色の光を選択的に発光する光源部と、
前記原稿画像と前記光源部とを副走査方向に沿って相対的に移動させる移動装置と、
前記移動装置による前記原稿画像と前記光源部との相対移動に際して前記原稿画像から反射される光を画像光として主走査方向に１ライン分ずつ受光する受光素子と、
ドロップアウトカラーを指定するドロップアウトカラー指定手段と、
前記ドロップアウトカラー指定手段が指定したドロップアウトカラーに基づいて前記光源部からの発光色と該発光色の発光順序とを指定する順序指定手段と、前記原稿画像と前記光源部とが副走査方向に沿って主走査方向の１ライン分に相当する距離を相対移動する毎に、前記順序指定手段が指定する発光色の光を指定された発光順序にしたがって切り替える発光色切替手段と、
前記発光色切替手段が切り替えた発光色毎に前記受光素子が受光した画像光に基づいて、前記ドロップアウトカラー指定手段が指定したドロップアウトカラーによって形成された画像を除去したモノクロ画像を生成するモノクロ画像生成手段と、
を具備する画像読取装置。
【請求項２】
前記原稿画像に対して領域指定を行なう領域指定手段を具備し、
前記順序指定手段は、前記領域指定手段が指定した領域における前記光源部からの発光色と該発光色の発光順序とを指定する請求項１記載の画像読取装置。
【請求項３】
前記領域指定手段は、前記受光素子による読み取りライン単位で領域指定を行なう請求項２記載の画像読取装置。
【請求項４】
前記領域指定手段は、前記受光素子による読み取りライン方向に沿って領域指定を行なう請求項２または３記載の画像読取装置。
【請求項５】
前記ドロップアウトカラー指定手段は前記領域指定手段が指定した領域毎にドロップアウトカラーを指定し、前記モノクロ画像生成手段は指定されたドロップアウトカラーで形成された画像を前記領域指定手段が指定した領域毎に除去したモノクロ画像を生成する請求項２、３または４記載の画像読取装置。
【請求項６】
請求項１ないし５のいずれか一に記載の画像読取装置と、
前記画像読取装置で読み取ったモノクロ画像データに基づく画像を記録媒体に形成する画像形成装置と、
を具備する複写装置。
【発明の詳細な説明】
【０００１】
【発明の属する技術分野】
本発明は、画像読取装置および複写装置に関する。
【０００２】
【従来の技術】
光学式文字読取装置（ＯＣＲ：Ｏｐｔｉｃａｌ　Ｃｈａｒａｃｔｅｒ　Ｒｅａｄｅｒ）等の画像読取装置では、文字に加えて、着色された枠線が形成された画像を原稿として読み取ることがある。このような原稿には、例えば、帳簿等のように、画像読取装置が読み取らない色、いわゆる、ドロップアウトカラーで枠線が着色されているものがある。
【０００３】
枠線がドロップアウトカラーで形成された原稿の読み取りに際しては、ドロップアウトカラーで形成された画像が除去されて、ドロップアウトカラー以外の色で形成された文字のみが抽出される。
【０００４】
このようなドロップアウトカラー画像の除去を行なう画像読取装置としては、例えば、それぞれが異なる色の光を発光する複数の光源部を具備し、指定されたドロップアウトカラーに基づいて各光源部からの発光量の割合を調整して加色混合した光を原稿に照射し、原稿からの反射光から画像データを得ることで、ドロップアウトカラー画像の除去を行なうようにした技術がある（例えば、特許文献１参照）。このような技術によれば、多様なドロップアウトカラーを指定することができるとともに、原稿の読取処理を高速化することができる。
【０００５】
また、ドロップアウトカラー画像の除去を行なう画像読取装置としては、複数色の光を選択的に切り替えて発光する照明光源部を具備し、原稿画像の読み取りに際しては、照明光源部から発光する光の色を各色（Ｒ，Ｇ，Ｂ）に切り替えることで複数色（３色）の画像を読み取り、読み取った画像から指定されたドロップアウトカラーで形成された画像を除去するようにした画像読取装置がある（例えば、特許文献２参照）。
【０００６】
【特許文献１】
特開平８−１７２５４２号公報
【特許文献２】
特開２０００−２９５４２３公報
【０００７】
【発明が解決しようとする課題】
ところで、加色混合を用いた原稿の読み取りに際してのカラーレスポンスは、各色の発光比率によって決定される。
【０００８】
このため、上述したように、指定されたドロップアウトカラーに基づいて各光源部からの発光量の割合を調整して加色混合した光を原稿に照射し、原稿からの反射光から画像データを得ることで、ドロップアウトカラーで形成された画像を原稿の読み取りに際して除去するようにした画像読取装置では、図１７に示すように、ラインセンサの画素間での各色の出力比が異なる場合に、指定されたドロップアウトカラーの画像を除去しきれないことがある。
【０００９】
また、上述したように、複数色の光を選択的に切り替えて発光する照明光源部を具備し、原稿画像の読み取りに際しては、照明光源部から発光する光の色を各色（Ｒ，Ｇ，Ｂ）に切り替えることで複数色（３色）の画像を読み取り、指定されたドロップアウトカラーに基づいて読み取った画像からドロップアウトカラーで形成された画像を除去するようにした画像読取装置では、照明光源部から発光する光の色を切り替える毎に各色の画像を読み取るため、モノクロでの画像の読み取りと比較して３倍の読み取り時間を要することとなる。
【００１０】
本発明の目的は、単純にモノクロ画像を得るための通常の読み取り動作と比較して、読み取り速度をあまり低下させることなく読み取った原稿画像からドロップアウトカラー画像を正確に除去することである。
【００１１】
【課題を解決するための手段】
請求項１記載の発明の画像読取装置は、原稿画像に対して複数色の光を選択的に発光する光源部と、前記原稿画像と前記光源部とを副走査方向に沿って相対的に移動させる移動装置と、前記移動装置による前記原稿画像と前記光源部との相対移動に際して前記原稿画像から反射される光を画像光として主走査方向に１ライン分ずつ受光する受光素子と、ドロップアウトカラーを指定するドロップアウトカラー指定手段と、前記ドロップアウトカラー指定手段が指定したドロップアウトカラーに基づいて前記光源部からの発光色と該発光色の発光順序とを指定する順序指定手段と、前記原稿画像と前記光源部とが副走査方向に沿って主走査方向の１ライン分に相当する距離を相対移動する毎に、前記順序指定手段が指定する発光色の光を指定された発光順序にしたがって切り替える発光色切替手段と、前記発光色切替手段が切り替えた発光色毎に前記受光素子が受光した画像光に基づいて、前記ドロップアウトカラー指定手段が指定したドロップアウトカラーによって形成された画像を除去したモノクロ画像を生成するモノクロ画像生成手段と、を具備する。
【００１２】
したがって、原稿画像の読み取り動作に際しては、原稿画像と光源部とが副走査方向に主走査方向の１ライン分に相当する距離を相対移動する毎に、光源部から発光する光の色を、ドロップアウトカラーに基づいて指定された発光色で指定された発光順序にしたがって切り替える。そして、各発光色で露光された原稿からの反射光を受光素子で受光することによる画像光に基づいて、指定されたドロップアウトカラーによって形成された画像を除去したモノクロ画像を生成する。これによって、ドロップアウトカラー画像の除去に必要な色の光を光源部から発光するだけで、読み取った原稿画像からドロップアウトカラー画像を正確に除去することができる。
【００１３】
請求項２記載の発明は、請求項１記載の画像読取装置において、前記原稿画像に対して領域指定を行なう領域指定手段を具備し、前記順序指定手段は、前記領域指定手段が指定した領域における前記光源部からの発光色と該発光色の発光順序とを指定する。
【００１４】
したがって、原稿画像の読み取り動作に際しては、指定された領域において光源部から発光する光の色を、ドロップアウトカラーに基づいて指定された発光色で指定された発光順序にしたがって切り替える。これによって、読み取った原稿画像のうち指定された領域からのみドロップアウトカラー画像を正確に除去することができる。
【００１５】
請求項３記載の発明は、請求項２記載の画像読取装置において、前記領域指定手段は、前記受光素子による読み取りライン単位で領域指定を行なう。
【００１６】
したがって、ドロップアウトカラー画像の除去を行なう領域を、読み取りライン単位で指定することができる。
【００１７】
請求項４記載の発明は、請求項２または３記載の画像読取装置において、前記領域指定手段は、前記受光素子による読み取りライン方向に沿って領域指定を行なう。
【００１８】
したがって、ドロップアウトカラー画像の除去を行なう領域を、受光素子による読み取りライン方向に沿って指定することができる。特に、請求項２記載の発明のように、読み取りライン単位で指定することもできる場合、ドロップアウトカラー画像の除去を行なう領域を任意の二次元で指定することができる。
【００１９】
請求項５記載の発明は、請求項２、３または４記載の画像読取装置において、前記ドロップアウトカラー指定手段は前記領域指定手段が指定した領域毎にドロップアウトカラーを指定し、前記モノクロ画像生成手段は指定されたドロップアウトカラーで形成された画像を前記領域指定手段が指定した領域毎に除去したモノクロ画像を生成する。
【００２０】
したがって、複数色のドロップアウトカラー画像が形成された原稿画像であっても、領域毎に指定されたドロップアウトカラー画像を、指定した領域毎に除去したモノクロ画像を生成することができる。
【００２１】
請求項６記載の発明の複写装置は、請求項１ないし５のいずれか一に記載の画像読取装置と、前記画像読取装置で読み取ったモノクロ画像データに基づく画像を記録媒体に形成する画像形成装置と、を具備する。
【００２２】
したがって、請求項１ないし４のいずれか一に記載の画像読取装置によってドロップアウトカラー画像を除去したモノクロ画像データに基づく画像を、記録媒体に形成することができる。
【００２３】
【発明の実施の形態】
本発明の第１の実施の形態について図１ないし図６を参照して説明する。本実施の形態は、画像読取装置としてフラットベッドタイプのスキャナ装置への適用例を示す。
【００２４】
まず、スキャナ装置の全体構成を概略的に説明する。図１は、本実施の形態のスキャナ装置を概略的に示す縦断側面図である。スキャナ装置１は、上面にコンタクトガラス２を備える筐体形状のスキャナハウジング３を有する。読み取り対象となる原稿Ｐは、図１中読取面を下向きにしてコンタクトガラス２上に載置される。スキャナハウジング３のコンタクトガラス２の近傍には、シェーディング補正に用いられる白基準板４が設けられている。なお、シェーディング補正については公知の技術であるため説明を省略する。
【００２５】
スキャナハウジング３内には、光源部５およびミラー６を搭載する第１キャリッジ７、ミラー８，９を搭載する第２キャリッジ１０が設けられている。第１，第２キャリッジ７，１０は、主走査方向を長手方向として配設され、副走査方向に沿って２：１の速度比で往復動自在に設けられている。原稿画像の読み取りを待機している場合の第１，第２キャリッジ７，１０は、図１中左端部位置のホームポジションに位置付けられている。
【００２６】
図１中では省略されているが、光源部５は、図２に示すように、Ｒ色を発光するＲ光源５Ｒ、Ｇ色を発光するＧ光源５Ｇ、Ｂ色を発光するＢ光源５Ｂを備えている。詳細は後述するが、ドロップアウトカラー（ドロップアウトする色）の除去を含む原稿画像の読み取り動作を行なう場合、光源部５は、Ｒ光源５Ｒ，Ｇ光源５ＧまたはＢ光源５Ｂのいずれか一つを選択的に発光させる。
【００２７】
また、スキャナハウジング３内には、第１，第２キャリッジ７，１０を副走査方向（図１中左右方向）に沿って往復動させるための移動装置としてのステッピングモータ１１が設けられている。
【００２８】
原稿画像の読み取り動作に際しては、光源部５における光源５Ｒ，５Ｇ，５Ｂの全てまたはいずれか一つを点灯させながら、ステッピングモータ１１により第１，第２キャリッジ７，１０を走行させることで、コンタクトガラス２上に載置された原稿画像を露光走査する。
【００２９】
この露光走査により原稿Ｐに照射された光は、原稿面で反射され、ミラー６，８，９によって反射され、結像レンズ１２を介して受光素子としてのイメージセンサ１３に結像される。イメージセンサ１３に結像された反射光（画像光）は、光源部５において点灯させた光源５Ｒ，５Ｇまたは５Ｂからの発光色に応じて、Ｒ，Ｇ，Ｂの各色の光の強度に応じた電圧値を持つＲ，Ｇ，Ｂ各色のアナログ画像データに変換される。変換されたアナログ画像データは、以降の画像処理に供される。
【００３０】
次に、スキャナ装置１が備える各部の電気的接続について説明する。図３は、スキャナ装置１が備える各部の電気的接続を示すブロック図である。スキャナ装置１は、スキャナ装置１が備える各部を駆動制御する制御部２０を備えている。制御部２０は、バスライン２１に接続されており、このバスライン２１には読取部２２、通信部２３、操作部２４、符号化部２５およびメモリ２６が接続されている。
【００３１】
ここで、図４は、読取部２２における各部について説明するブロック図である。読取部２２は、図４に示すように、Ｒ光源５Ｒ，Ｇ光源５Ｇ，Ｂ光源５Ｂの点灯／消灯をそれぞれ駆動制御する光源部駆動部２８を備えている。光源部駆動部２８は、読取部２２における各部を駆動制御する読取制御部２９が備える点灯順序指定部３０からの出力信号に基づいてＲ光源５Ｒ，Ｇ光源５Ｇ，Ｂ光源５Ｂの点灯／消灯をそれぞれ駆動制御する。
【００３２】
また、読取部２２は、イメージセンサ１３からのアナログ画像データをデジタル画像データにＡ／Ｄ変換するＡ／Ｄ変換部３１を備えている。Ａ／Ｄ変換部３１は、Ａ／Ｄ変換したデジタル画像データを、読取制御部２９が備える画像処理部３２に出力する、画像処理部３２は、Ａ／Ｄ変換部３１から出力されたデジタル画像データを読取制御部２９が備える画像メモリ３３に格納したり、画像メモリ３３に格納されたデジタル画像データに対して各種画像処理を施したりする。
【００３３】
画像処理部３２が行なう各種画像処理としては、シェーディング補正処理、ＭＴＦ補正処理、γ補正処理等が挙げられる。なお、シェーディング補正処理、ＭＴＦ補正処理、γ補正処理等の画像処理部３２で行なわれる各種画像処理については、公知の技術であるため説明を省略する。
【００３４】
画像処理部３２は、各種画像処理を施したデジタル画像データを、メモリ２６に記憶したり、通信部２３を介して例えばパーソナルコンピュータ等の図示しない外部装置へ出力したりする。
【００３５】
符号化部２５は、例えば、画像処理部３２で画像処理を施したデジタル画像データを通信部２３を介して外部装置に出力する場合に、該デジタル画像データを符号化により圧縮する。
【００３６】
通信部２３は、例えば、外部装置との間でのデータ通信を自在とし、画像処理部３２で各種画像処理を施したデジタル画像データを外部装置に出力したり、外部装置から送信される各種コマンドを受信したりする。
【００３７】
特に図示しないが、操作部２４は、後述するドロップアウトカラー画像の除去を含む読み取り動作に際してのドロップアウトカラーを指定するカラー選択キーや、画像の読み取り開始を宣言するスタートキーや、画像の読み取りに際してドロップアウト処理を行なうか否かを設定するドロップアウト処理設定キー等の各種操作キーを有している。
【００３８】
メモリ２６は、画像処理部３２で画像処理を施したデジタル画像データを記憶する図示しない画像メモリエリアを備えている。なお、メモリ２６の画像メモリエリアに記憶するデジタル画像データは、画像処理部３２で画像処理を施したそのままの形態で記憶してもよいし、符号化部２５によって圧縮した形態で記憶してもよい。
【００３９】
また、メモリ２６は、操作部２４におけるカラー選択キーの操作によってドロップアウトカラーが指定されると、指定されたドロップアウトカラーに基づくドロップアウトカラー情報を記憶する図示しないカラー記憶部を備えており、後述するドロップアウトカラー画像の除去を含む原稿画像の読み取り動作に際しては、カラー記憶部に記憶したドロップアウトカラー情報を読取部２２に出力する。
【００４０】
次に、スキャナ装置１が実行するドロップアウトカラー画像の除去を含む読み取り動作について説明する。本実施の形態では、図５（ａ）に示すような原稿画像を読み取り対象とする。図５（ａ）に示す原稿Ｐは、文字Ｗが黒色で、文字Ｗを囲む枠線Ｆが黄色で形成された画像である。また、図５（ａ）中、矢印Ｓは、副走査方向を示しており、この副走査方向に直交する方向が主走査方向である。
【００４１】
通常の原稿画像の読み取り動作は、操作部２４のスタートキーを操作することによって開始される。ここで、読み取った原稿画像からドロップアウトカラー画像の除去を含む原稿画像の読み取り動作を行なう場合、ユーザは、スタートキーの操作に先立って、操作部２４の操作によってドロップアウトカラーを指定する。指定されたドロップアウトカラーは、ドロップアウトカラー情報としてメモリ２６のカラー記憶部に記憶される。
【００４２】
本実施の形態では、ユーザの操作により、枠線Ｆの黄色がドロップアウトカラーとして指定された状態でスタートキーが操作されたものとする。
【００４３】
スタートキーが操作されると、メモリ２６のカラー記憶部に記憶したドロップアウトカラー情報を、点灯順序指定部３０に出力する。ここに、ドロップアウトカラー指定手段としての機能が実現される。
【００４４】
点灯順序指定部３０は、出力されたドロップアウトカラー情報に基づいて点灯順序（発光順序）を決定し、決定した点灯順序情報を光源部駆動部２８に出力する。
【００４５】
図６は、点灯順序指定部３０によって決定されて、光源部駆動部２８が光源部５における各光源５Ｒ，５Ｇ，５Ｂを駆動する際の点灯順序を示している。本実施の形態では、ドロップアウトカラーが黄色に指定されているため、点灯順序指定部３０には、Ｒ光源部とＧ光源部との点灯順序が決定されている。ここに、順序指定手段としての機能が実現される。
【００４６】
光源部駆動部２８は、第１キャリッジ７の移動によって光源部５が副走査方向に沿って主走査方向の１ライン分に相当する距離を移動する毎に、図６に示すように指定された点灯順序にしたがって、Ｒ光源部とＧ光源部とを切り替えて点灯させる。ここに、発光色切替手段としての機能が実現される。
【００４７】
画像処理部３２は、Ｒ光源５Ｒ点灯時にイメージセンサ１３から出力されるアナログ画像データと、Ｇ光源５Ｇ点灯時にイメージセンサ１３から出力されるアナログ画像データと、に基づいて、Ｒ光とＧ光とから生成される黄色の枠線Ｆ部分を除去したモノクロ画像Ｐ’（図５（ｂ）参照）を生成する。ここに、モノクロ画像生成手段としての機能が実現される。
【００４８】
これによって、ドロップアウトカラー画像の除去に必要な色の光を光源部５から発光するだけで、単純にモノクロ画像を得るための通常の読み取り動作と比較して、読み取り速度をあまり低下させることなく読み取った原稿画像からドロップアウトカラー画像を正確に除去することができる。本実施の形態では、Ｒ，Ｇ，Ｂの全ての光源５Ｒ，５Ｇ，５Ｂを点灯させる場合と比較して、読み取りに要する時間を２／３に短縮することができる。なお、この場合、通常のモノクロ読み取りと比較して読取速度が１／２となる。
【００４９】
なお、本実施の形態では、各種操作キーを有する操作部として説明したが、これに限るものではなく、ドロップアウトカラーの指定に際しての設定状態や操作ガイダンス等を表示するＬＣＤ等の表示部を有する操作部としてもよい。これにより、指定したドロップアウトカラーを表示画面に表示させることができるので、設定ミス等を防止し、より使い勝手のよいスキャナ装置を提供することができる。
【００５０】
次に、本発明の第２の実施の形態について図７ないし図９を参照して説明する。なお、第１の実施の形態と同一部分は同一符号で示し、説明も省略する。以下、同様とする。
【００５１】
図７は、本実施の形態のスキャナ装置１の読取部２２における各部について説明するブロック図である。本実施の形態のスキャナ装置１のメモリ２６には、操作部２４に設けられた図示しない領域指定キーの操作によって指定された領域に基づく領域指定情報を記憶する図示しない領域記憶部が設けられている。領域記憶部に記憶された領域指定情報は、後述するドロップアウトカラー画像の除去を含む原稿画像の読み取り動作に際して、点灯順序指定部３０に出力される。
【００５２】
特に図示しないが、領域指定キーは、カラー選択キー、スタートキー、ドロップアウト処理設定キー等と同様に、ユーザが操作することができる。領域指定キーを操作することにより、後述するドロップアウト読み取り処理に際してドロップアウトカラーを除去する領域を指定することができる。
【００５３】
次に、スキャナ装置１が実行するドロップアウトカラー画像の除去を含む読み取り動作について説明する。本実施の形態では、図５（ａ）に示すような原稿画像を読み取り対象とする。
【００５４】
読み取った原稿画像からドロップアウトカラー画像の除去を含む原稿画像の読み取り動作を行なう場合、第１の実施の形態と同様に、スタートキーの操作に先立って、操作部２４の操作によってドロップアウトカラーおよび領域を指定する。指定されたドロップアウトカラー情報および領域指定情報は、それぞれカラー記憶部、領域記憶部に記憶される。
【００５５】
本実施の形態では、ユーザの操作により、枠線Ｆの黄色がドロップアウトカラーとして指定され、図８中点線で区切られた領域Ｅを指定した状態でスタートキーが操作されたものとする。
【００５６】
スタートキーが操作されると、領域記憶部に記憶した領域指定情報とカラー記憶部に記憶したドロップアウトカラー情報とを点灯順序指定部３０に出力する。ここに、ドロップアウトカラー指定手段および領域指定手段としての機能が実現される。
【００５７】
点灯順序指定部３０は、出力されたドロップアウトカラー情報および領域指定情報に基づいて、領域指定情報によって特定される領域Ｅおよび領域Ｅ以外の領域における点灯順序を決定し、決定した点灯順序情報を光源部駆動部２８に出力する。ここに、順序指定手段としての機能が実現される。
【００５８】
図９は、点灯順序指定部３０によって決定されて、光源部駆動部２８が光源５Ｒ，５Ｇ，５Ｂを駆動する際の点灯順序を示しており、（ａ）は指定された領域Ｅにおける点灯順序、（ｂ）は領域Ｅ以外の領域における点灯順序を示している。本実施の形態では、領域Ｅにおけるドロップアウトカラーが黄色に指定されているため、点灯順序指定部３０には、領域指定情報によって指定された領域Ｅａにおける点灯順序として、Ｒ光源部とＧ光源部との点灯順序が決定されている。
【００５９】
光源部駆動部２８は、第１キャリッジ７の移動によって、光源部５（光源部５による露光位置）が図８中矢印Ｓで示す副走査方向に沿って移動し、ラインＬ１に到達するまでは図９（ｂ）に示すように指定された点灯順序にしたがってＧ光源５Ｇのみを点灯させ、ラインＬ１からラインＬ２までは図９（ａ）に示すように指定された点灯順序にしたがってＲ光源部とＧ光源部とを切り替えて点灯させ、ラインＬ２からは図９（ｂ）に示すように指定された点灯順序にしたがってＧ光源５Ｇのみを点灯させる。ここに、発光色切替手段としての機能が実現される。
【００６０】
画像処理部３２は、図９（ｂ）に示すように指定された点灯順序にしたがってＧ光源５Ｇのみの点灯時には、イメージセンサ１３から出力されるアナログ画像データのみに基づいてモノクロ画像データを生成する。
【００６１】
また、画像処理部３２は、図９（ａ）に示すように指定された点灯順序にしたがってＲ光源５ＲとＧ光源５Ｇとを点灯させている時には、Ｒ光源５Ｒ点灯時にイメージセンサ１３から出力されるアナログ画像データと、Ｇ光源５Ｇ点灯時にイメージセンサ１３から出力されるアナログ画像データと、に基づいて、Ｒ光とＧ光とから生成される黄色の枠線Ｆ部分を除去したモノクロ画像データを生成する。
【００６２】
そして、各点灯順序にしたがって取得したモノクロ画像データに基づいて、モノクロ画像Ｐ’（図５（ｂ）参照）を生成する。ここに、モノクロ画像生成手段としての機能が実現される。
【００６３】
これによって、読み取った原稿画像のうち指定された領域Ｅからのみドロップアウトカラー画像を正確に除去することができるので、単一の原稿画像中にドロップアウトカラーと同じ色の画像がある場合にも、ドロップアウトカラー画像の除去を不必要に行なうことがなく、また、原稿画像の読み取りに際してドロップアウトカラー画像の除去を行なう場合にも、ドロップアウトカラー画像の除去を含む原稿画像の読み取り動作に要する時間を短くすることができる。本実施の形態では、領域Ｅにおける画像の読み取り動作に要する時間を、Ｒ，Ｇ，Ｂの全ての光源５Ｒ，５Ｇ，５Ｂを点灯させる場合と比較して、２／３に短縮することができる。なお、この場合、通常のモノクロ読み取りと比較して読取速度が１／２となる。
【００６４】
また、領域Ｅ以外の領域における画像の読み取り動作に要する時間を、ドロップアウトカラー画像の除去を行なわない通常の画像読み取りと同じとすることができる。
【００６５】
これによって、ドロップアウトカラー画像の除去を含む画像読み取り動作に要する時間を短くすることができる。
【００６６】
なお、本実施の形態では、図９（ｂ）に示すように、指定されていない領域においてＧ光源５Ｇのみを点灯させるようにしたが、これに限るものではなく、Ｒ光源５Ｒのみ、または、Ｇ光源５Ｇのみでもよい。
【００６７】
次に、本発明の第３の実施の形態について図１０ないし図１２を参照して説明する。
【００６８】
図１０は、本実施の形態のスキャナ装置１の読取部２２における各部について説明するブロック図である。本実施の形態のスキャナ装置１は、ドロップアウトカラー画像の除去を含む原稿画像の読み取り動作に際して、メモリ２６に記憶された領域指定情報を画像処理部３２にも出力する。
【００６９】
本実施の形態では、カラー記憶部に複数のドロップアウトカラー情報を記憶させることができ、領域記憶部に複数の領域指定情報を記憶させることができる。カラー記憶部に記憶される複数のドロップアウトカラー情報と、領域記憶部に記憶される複数の領域指定情報とは、それぞれ対応付けて記憶されている。すなわち、本実施の形態のスキャナ装置１では、ドロップアウトカラー画像を除去する領域を複数指定することができ、指定した領域毎にドロップアウトカラーを指定することができる。
【００７０】
次に、スキャナ装置１が実行するドロップアウトカラー画像の除去を含む読み取り動作について説明する。本実施の形態では、図１１に示すような原稿画像を読み取り対象とする。図１１に示す原稿Ｐは、文字Ｗが黒色で形成されており、文字Ｗを囲む枠線Ｆａ，Ｆｂ，Ｆｃのうち図１１中上側の枠線Ｆａが黄色、図１１中左下側の枠線Ｆｂが赤色、図１１中右下側の枠線Ｆｃが青色で形成された画像である。
【００７１】
読み取った原稿画像からドロップアウトカラー画像の除去を含む原稿画像の読み取り動作を行なう場合、第１，第２の実施の形態と同様に、スタートキーの操作に先立って、操作部２４の操作によってドロップアウトカラーおよび領域を指定する。指定されたドロップアウトカラー情報および領域指定情報は、カラー記憶部および領域記憶部にそれぞれ対応付けて記憶される。
【００７２】
本実施の形態では、ユーザの操作により、３つの領域Ｅａ，Ｅｂ，Ｅｃが指定され、枠線Ｆａの黄色が領域Ｅａにおけるドロップアウトカラーとして指定され、枠線Ｆｂの赤色が領域Ｅｂにおけるドロップアウトカラーとして指定され、枠線Ｆｃの青色が領域Ｅｃにおけるドロップアウトカラーとして指定された状態でスタートキーが操作されたものとする。
【００７３】
スタートキーが操作されると、カラー記憶部に記憶されたドロップアウトカラー情報および領域記憶部に記憶された領域指定情報を、それぞれ対応付けて点灯順序指定部３０に出力する。ここに、ドロップアウトカラー指定手段および領域指定手段としての機能が実現される。
【００７４】
点灯順序指定部３０は、出力されたドロップアウトカラー情報および領域指定情報に基づいて、領域指定情報によって特定される各領域Ｅａ，Ｅｂ，Ｅｃおよび領域Ｅａ，Ｅｂ，Ｅｃ以外の領域における点灯順序をそれぞれ決定し、決定した点灯順序情報を光源部駆動部２８に出力する。ここに、順序指定手段としての機能が実現される。
【００７５】
図１２は、点灯順序指定部３０によって決定されて、光源部駆動部２８が光源５Ｒ，５Ｇ，５Ｂを駆動する際の点灯順序を示しており、（ａ）は指定された領域Ｅａにおける点灯順序、（ｂ）は指定された領域Ｅｂ，Ｅｃにおける点灯順序、（ｃ）は領域Ｅａ，Ｅｂ，Ｅｃ以外の領域における点灯順序を示している。本実施の形態では、領域Ｅａにおけるドロップアウトカラーが黄色に指定されているため、点灯順序指定部３０には、領域指定情報によって指定された領域Ｅａにおける点灯順序として、Ｒ光源部とＧ光源部との点灯順序が決定されている。また、領域Ｅｂにおけるドロップアウトカラーが赤色に指定され、領域Ｅｃにおけるドロップアウトカラーが青色に設定されており、さらに、光源部５における各光源５Ｒ，５Ｇ，５Ｂは、主走査方向のライン単位で原稿Ｐを露光するため、点灯順序指定部３０には、領域指定情報によって指定された領域Ｅｂ，Ｅｃにおける点灯順序として、Ｒ光源部とＢ光源部との点灯順序が決定されている。
【００７６】
光源部駆動部２８は、第１キャリッジ７の移動によって、光源部５（光源部５による露光位置）が図１１中矢印Ｓで示す副走査方向に沿って移動し、ラインＬ１に到達するまでは図１２（ｃ）に示すように指定された点灯順序にしたがってＧ光源５Ｇのみを点灯させ、ラインＬ１からラインＬ２までは図１２（ａ）に示すように指定された点灯順序にしたがってＲ光源部とＧ光源部とを切り替えて点灯させ、ラインＬ２からラインＬ３までは図１２（ｂ）に示すように指定された点灯順序にしたがってＲ光源部とＧ光源部とを切り替えて点灯させ、さらに、ラインＬ３からは図１２（ｃ）に示すように指定された点灯順序にしたがってＧ光源５Ｇのみを点灯させる。ここに、発光色切替手段としての機能が実現される。
【００７７】
画像処理部３２は、図１２（ｃ）に示すように指定された点灯順序にしたがってＧ光源５Ｇのみの点灯時には、イメージセンサ１３から出力されるアナログ画像データのみに基づいてモノクロ画像データを生成する。
【００７８】
また、画像処理部３２は、図１２（ａ）に示すように指定された点灯順序にしたがってＲ光源５ＲとＧ光源５Ｇとを点灯させている時には、Ｒ光源５Ｒ点灯時にイメージセンサ１３から出力されるアナログ画像データと、Ｇ光源５Ｇ点灯時にイメージセンサ１３から出力されるアナログ画像データと、に基づいて、Ｒ光とＧ光とから生成される黄色の枠線Ｆａ部分を除去したモノクロ画像データを生成する。
【００７９】
さらに、画像処理部３２は、図１２（ｂ）に示すように指定された点灯順序にしたがってＲ光源５ＲとＢ光源５Ｂとを点灯させている時には、Ｒ光源５Ｒ点灯時にイメージセンサ１３から出力されるアナログ画像データと、Ｂ光源５Ｂ点灯時にイメージセンサ１３から出力されるアナログ画像データと、に基づいて、Ｒ光とＢ光とから生成される赤色，青色の枠線Ｆｂ，Ｆｃ部分を除去したモノクロ画像データを生成する。ここで、領域Ｅｂと領域Ｅｃとは、副走査方向の走査位置が同じで、主走査方向に分割されている領域であるため、画像処理部３２は、Ｒ光源５Ｒ点灯時にイメージセンサ１３から出力されるアナログ画像データのうち領域Ｅｂからの反射光を受光するイメージセンサ１３から出力されるアナログ画像データと、Ｂ光源５Ｂ点灯時にイメージセンサ１３から出力されるアナログ画像データのうち領域Ｅｃからの反射光を受光するイメージセンサ１３から出力されるアナログ画像データと、に基づいて、Ｒ光とＢ光とから生成される赤色，青色の枠線Ｆｂ，Ｆｃ部分を除去したモノクロ画像データを生成する。
【００８０】
そして、各点灯順序にしたがって生成したモノクロ画像データに基づいて、モノクロ画像Ｐ’（図５（ｂ）参照）を生成する。ここに、モノクロ画像生成手段としての機能が実現される。
【００８１】
これによって、読み取った原稿画像から複数の領域Ｅａ，Ｅｂ，Ｅｃを指定し、指定した領域Ｅａ，Ｅｂ，Ｅｃからのみドロップアウトカラー画像を正確に除去することができ、さらには、各領域Ｅａ，Ｅｂ，Ｅｃでそれぞれドロップアウトカラーを指定することができるので、単一の原稿画像中にドロップアウトカラーと同じ色の画像がある場合にも、ドロップアウトカラー画像の除去を不必要に行なうことがなく、また、原稿画像の読み取りに際してドロップアウトカラー画像の除去を行なう場合にも、ドロップアウトカラー画像の除去を含む原稿画像の読み取り動作に要する時間を短くすることができる。本実施の形態では、領域Ｅにおける画像の読み取り動作に要する時間を、Ｒ，Ｇ，Ｂの全ての光源５Ｒ，５Ｇ，５Ｂを点灯させる場合と比較して、２／３に短縮することができる。なお、この場合、通常のモノクロ読み取りと比較して読取速度が１／２となる。
【００８２】
また、領域Ｅ以外の領域における画像の読み取り動作に要する時間を、ドロップアウトカラー画像の除去を行なわない通常の画像読み取りと同じとすることができる。
【００８３】
これによって、ドロップアウトカラー画像の除去を含む画像読み取り動作に要する時間を短くすることができる。
【００８４】
なお、本実施の形態では、図９（ｂ）に示すように、指定されていない領域においてＧ光源部のみを点灯させるようにしたが、これに限るものではなく、Ｒ光源部のみ、または、Ｇ光源部のみでもよい。
【００８５】
さらに、ドロップアウトカラー画像の除去を行なう領域Ｅａ，Ｅｂ，Ｅｃを任意の二次元領域により細分化して指定することができるので、原稿画像の読み取りに際してドロップアウトカラー画像の除去を行なう場合にも、ドロップアウトカラー画像の除去を含む原稿画像の読み取り動作に要する時間を短くすることができる。
【００８６】
なお、本実施の形態では、図１２（ｃ）に示すように、指定されていない領域においてＧ光源部のみを点灯させるようにしたが、これに限るものではなく、Ｒ光源部のみ、または、Ｇ光源部のみでもよい。
【００８７】
次に、本発明の第４の実施の形態について図１３および図１４を参照して説明する。本実施の形態は、複写装置としてデジタル複写機への適用例を示す。
【００８８】
図１３は、本実施の形態のデジタル複写機を示す縦断側面図である。デジタル複写機４０は、スキャナ装置１と、スキャナ装置１で生成したモノクロ画像データに基づくモノクロ画像を記録媒体４１に形成する画像形成装置としてのレーザプリンタ４２とを備えている。
【００８９】
レーザプリンタ４２のハウジング４３には、シート状の記録媒体４１を積層状態で収納する給紙カセット４４が設けられている。
【００９０】
ハウジング４３内には、給紙カセット４４から電子写真方式のプリンタエンジン４５や定着装置４６を経由して排紙トレイ４７に至る媒体経路４８が設けられている。給紙カセット４４に収納された記録媒体４１のうち最上位の１枚は、給紙コロ４４ａによって媒体経路４８に給送され、図示しない搬送ローラ等によって媒体経路４８中を搬送される。
【００９１】
プリンタエンジン４５は、円筒状に形成されて軸心周りに回転自在とされた光導電性の感光体４９や、感光体４９の周囲に配設された帯電ローラ５０、露光装置５１、現像装置５２、転写ローラ５３、クリーニング装置５４等を有している。
【００９２】
帯電ローラ５０は、外周面を感光体４９表面に接触させて配設されており、感光体４９との間に帯電電圧を印加することによって感光体４９表面を帯電させる。なお、本実施の形態では、感光体４９表面に接触する帯電ローラ５０を用いたが、これに限るものではなく、例えば、コロナ放電方式によって感光体４９表面を非接触帯電させるコロナチャージャ等であってもよい。
【００９３】
露光装置５１は、レーザ光を発光する光源部や発光したレーザ光で感光体表面を露光走査する光学部材（いずれも図示せず）を備えており、スキャナ装置１で生成したモノクロ画像データに基づいて感光体４９表面を露光走査することで静電腺像を形成する。
【００９４】
現像装置５２は、現像スリーブ５２ａの動作によって、ケース５２ｂ内に保持されたトナーを感光体４９表面に供給することにより、露光装置５１によって感光体４９表面に形成された静電潜像を顕像化する。
【００９５】
転写ローラ５３は、感光体４９との間に転写電圧を印加することにより、感光体４９表面に付着するトナーを、レジストローラ対５５によってタイミング調整されて搬送された記録媒体４１に転写する。
【００９６】
定着装置４６は、トナー像が転写された記録媒体４１に対して加熱および加圧することにより、該記録媒体４１にトナー像を定着させる。トナー像定着後の記録媒体４１は、排紙トレイ４７上に排出される。
【００９７】
クリーニング装置５４は、トナー像を転写した後の感光体４９の表面に残存する残留トナーや紙粉等を除去することにより、感光体４９表面をクリーニングする。
【００９８】
また、本実施の形態では、感光体４９表面に形成したトナー像を記録媒体４１に直接転写するようにしたが、これに限るものではなく、例えば、感光体４９表面に形成したトナー像を図示しない中間転写ベルト等の中間転写媒体を介して記録媒体４１に転写するようにしてもよい。
【００９９】
図１４は、デジタル複写機４０が備える各部の電気的接続を示すブロック図である。デジタル複写機４０のバスラインには、プリンタエンジン４５等のレーザプリンタ４２が備える各部を駆動制御する書込部５６が接続されている。書込部５６は、制御部２０から出力される書き込み指示等に応じてプリンタエンジン４５等を駆動制御する。
【０１００】
本実施の形態のデジタル複写機４０は、スキャナ装置１で生成されたモノクロ画像データに基づくモノクロ画像を記録媒体４１に形成するので、ドロップアウトカラーで形成された不要画像を除去した画像を得ることができる。
【０１０１】
次に、本発明の第５の実施の形態について図１５を参照して説明する。本実施の形態のスキャナ装置１は、パーソナルコンピュータ等、ユーザとの間でのインターフェイスを備える外部装置と接続して使用される。
【０１０２】
ここで、図１５は、スキャナ装置１に接続されるパーソナルコンピュータを概略的に説明するブロック図である。パーソナルコンピュータ６０は、各種演算を行ないパーソナルコンピュータ６０が備える各部を駆動制御する制御部６１を備えている。制御部６１は、パーソナルコンピュータ６０が備える各部を駆動制御するＣＰＵ６２、ＢＩＯＳやＯＳおよびその他の制御プログラムを記憶するＲＯＭ６３、可変的なデータを書き換え自在に記憶しＣＰＵのワークエリアとして機能するＲＡＭ６４、および、ＨＤＤ６５等の外部記憶装置等をバスライン６６を介して接続することにより構成されている。
【０１０３】
バスライン６６には、例えば、キーボードやマウス等の入力装置６７や、ＬＣＤ等の表示装置６８等が接続されている。表示装置６８の表示部には、図１６に示すような設定画面７０が表示される。設定画面７０には、原稿画像の読み取り動作に際して、ドロップアウトカラー画像の除去を行なうか否かを設定するボックス７０ａや、ドロップアウトカラーを指定するボックス７０ｂに加えて、設定された内容にしたがった原稿画像の読み取り動作の開始を宣言する「読み取り」キー７０ｃや原稿画像の読み取り動作のキャンセルを宣言する「キャンセル」キー７０ｄ等が表示されている。この設定画面７０が表示されている状態で、入力装置６７を操作することにより、原稿画像の読み取り動作に際してドロップアウトカラー画像の除去を行なうか否かを設定し、行なう場合はそのドロップアウトカラーを指定することができる。なお、図１６では、原稿画像の読み取り動作に際してドロップアウトカラー画像の除去を行ない、そのドロップアウトカラーが黄色に設定されている状態を示している。
【０１０４】
加えて、パーソナルコンピュータ６０は、スキャナ装置１との間でデータ通信を行なうインターフェイス６９を備えている。入力装置６７の操作により設定画面７０中で設定された情報は、図１６に示す「読み取り」キー７０ｃが操作される（例えば、クリックされる）と、インターフェイス６９を介してスキャナ装置１へ出力される。
【０１０５】
スキャナ装置１は、パーソナルコンピュータ６０から出力された情報を受信すると、受信した情報に応じて、原稿画像の読み取り動作を行なう。
【０１０６】
本実施の形態によれば、ドロップアウトカラー画像の除去を含む原稿画像の読み取り動作を行なうための格別な操作部や表示部等をスキャナ装置１に設けることなく、上述した実施の形態と同様の効果を得ることができる。
【０１０７】
なお、本実施の形態では、第１の実施の形態のスキャナ装置１でも設定画面７０について説明したが、これに限るものではなく、ドロップアウトカラー画像の除去を行なう領域を指定できるような画面を表示させてもよい。
【０１０８】
【発明の効果】
請求項１記載の発明の画像読取装置によれば、原稿画像の読み取り動作に際しては、原稿画像と光源部とが副走査方向に主走査方向の１ライン分に相当する距離を相対移動する毎に、光源部から発光する光の色を、ドロップアウトカラーに基づいて指定された発光色で指定された発光順序にしたがって切り替えて、各発光色で露光された原稿からの反射光を受光素子で受光することによる画像光に基づいて、指定されたドロップアウトカラーによって形成された画像を除去したモノクロ画像を生成することにより、ドロップアウトカラー画像の除去に必要な色の光を光源部から発光するだけで、単純にモノクロ画像を得るための通常の読み取り動作と比較して、読み取り速度をあまり低下させることなく読み取った原稿画像からドロップアウトカラー画像を正確に除去することができる。
【０１０９】
請求項２記載の発明によれば、請求項１記載の画像読取装置において、原稿画像の読み取り動作に際しては、指定された領域において光源部から発光する光の色を、ドロップアウトカラーに基づいて指定された発光色で指定された発光順序にしたがって切り替えることにより、読み取った原稿画像のうち指定された領域からのみドロップアウトカラー画像を正確に除去することができるので、単一の原稿画像中にドロップアウトカラーと同じ色の画像がある場合にも、ドロップアウトカラー画像の除去を不必要に行なうことがなく、また、原稿画像の読み取りに際してドロップアウトカラー画像の除去を行なう場合にも、ドロップアウトカラー画像の除去を含む原稿画像の読み取り動作に要する時間を短くすることができる。
【０１１０】
請求項３記載の発明によれば、請求項２記載の画像読取装置において、ドロップアウトカラー画像の除去を行なう領域を、読み取りライン単位で指定することができるので、原稿画像の読み取りに際してドロップアウトカラー画像の除去を行なう場合にも、ドロップアウトカラー画像の除去を含む原稿画像の読み取り動作に要する時間を短くすることができる。
【０１１１】
請求項４記載の発明によれば、請求項２または３記載の画像読取装置において、ドロップアウトカラー画像の除去を行なう領域を、受光素子による読み取りライン方向に沿って指定することができ、特に、請求項２記載の発明のように、読み取りライン単位で指定することもできる場合、ドロップアウトカラー画像の除去を行なう領域を任意の二次元でより細分化して指定することができるので、原稿画像の読み取りに際してドロップアウトカラー画像の除去を行なう場合にも、ドロップアウトカラー画像の除去を含む原稿画像の読み取り動作に要する時間を短くすることができる。
【０１１２】
請求項５記載の発明によれば、請求項２、３または４記載の画像読取装置において、複数色のドロップアウトカラー画像が形成された原稿画像であっても、領域毎に指定されたドロップアウトカラー画像を、指定した領域毎に除去したモノクロ画像を生成することができる。
【０１１３】
請求項６記載の発明の複写装置によれば、請求項１ないし４のいずれか一に記載の画像読取装置によってドロップアウトカラー画像を除去したモノクロ画像データに基づくモノクロ画像を、記録媒体に形成することができる。
【図面の簡単な説明】
【図１】本発明の第１の実施の形態のスキャナ装置を概略的に示す縦断側面図である。
【図２】光源部について説明する模式図である。
【図３】スキャナ装置が備える各部の電気的接続を示すブロック図である。
【図４】読取部における各部について説明するブロック図である。
【図５】（ａ）は原稿画像を説明する平面図であり、（ｂ）はドロップアウトカラー画像除去後の画像を説明する平面図である。
【図６】点灯順序指定部によって決定されて、光源部駆動部が光源部における各光源部を駆動する際の点灯順序を示す説明図である。
【図７】本発明の第２の実施の形態のスキャナ装置の読取部における各部について説明するブロック図である。
【図８】原稿画像を説明する平面図である。
【図９】点灯順序指定部によって決定されて、光源部駆動部が光源部を駆動する際の点灯順序を示しており、（ａ）は指定された領域Ｅにおける点灯順序、（ｂ）は指定された領域Ｅ以外の領域における点灯順序を示す説明図である。
【図１０】本発明の第３の実施の形態のスキャナ装置の読取部における各部について説明するブロック図である。
【図１１】原稿画像を説明する平面図である。
【図１２】点灯順序指定部によって決定されて、光源部駆動部が光源部を駆動する際の点灯順序を示しており、（ａ）は指定された領域Ｅａにおける点灯順序、（ｂ）は指定された領域Ｅｂ，Ｅｃにおける点灯順序、（ｃ）は領域Ｅａ，Ｅｂ，Ｅｃ以外の領域における点灯順序を示す説明図である。
【図１３】本発明の第４の実施の形態のデジタル複写機を示す縦断側面図である。
【図１４】デジタル複写機が備える各部の電気的接続を示すブロック図である。
【図１５】本発明の第５の実施の形態のスキャナ装置に接続されるパーソナルコンピュータを概略的に説明するブロック図である。
【図１６】設定画面を説明する正面図である。
【図１７】ラインセンサの画素間での出力比を例示する説明図である。
【符号の説明】
１　　　画像読取装置
５　　　光源部
１１　　　移動装置
１３　　　受光素子
４０　　　複写装置
４２　　　画像形成装置
【図１】
2004120337.tif 000003
【図２】
2004120337.tif 000004
【図３】
2004120337.tif 000005
【図４】
2004120337.tif 000006
【図５】
2004120337.tif 000007
【図６】
2004120337.tif 000008
【図７】
2004120337.tif 000009
【図８】
2004120337.tif 000010
【図９】
2004120337.tif 000011
【図１０】
2004120337.tif 000012
【図１１】
2004120337.tif 000013
【図１２】
2004120337.tif 000014
【図１３】
2004120337.tif 000015
【図１４】
2004120337.tif 000016
【図１５】
2004120337.tif 000017
【図１６】
2004120337.tif 000018
【図１７】
2004120337.tif 000019